(57)【要約】【課題】必要な強度を有しつつ製造コストを抑制することができるパチンコ遊技機の遊技盤を提供する。【解決手段】表面αに複数の釘及び種々役物が形成されて遊技球が弾き出されるとともに、所定の樹脂材を成形して成るパチンコ遊技機の遊技盤において、厚み方向に複数の層を有した樹脂製板状部材１から成るものとされ、当該樹脂製板状部材１は、その表面α及び裏面βをそれぞれ含む表面層２及び裏面層３と、当該表面層２と裏面層３との間の中間層４とから成るものとされた遊技盤である。【選択図】図２
2011062270.tif 000002
【特許請求の範囲】
【請求項１】
表面に複数の釘及び種々役物が形成されて遊技球が弾き出されるとともに、所定の樹脂材を成形して成るパチンコ遊技機の遊技盤において、厚み方向に複数の層を有した樹脂製板状部材から成ることを特徴とするパチンコ遊技機の遊技盤。
【請求項２】
前記樹脂製板状部材は、互いに物性が異なる樹脂材の層を有したことを特徴とする請求項１記載のパチンコ遊技機の遊技盤。
【請求項３】
前記樹脂製板状部材は、意匠的加工が施された意匠面又は機能的加工が施された機能部位が成形されて成ることを特徴とする請求項１又は請求項２記載のパチンコ遊技機の遊技盤。
【請求項４】
前記樹脂製板状部材は、その表面及び裏面をそれぞれ含む表面層及び裏面層と、当該表面層と裏面層との間の中間層とから成り、当該表面層及び裏面層と前記中間層とで互いに硬度を異ならせたことを特徴とする請求項１〜３の何れか１つに記載のパチンコ遊技機の遊技盤。
【請求項５】
前記表面層よりも前記中間層の方が軟質な樹脂材から成ることを特徴とする請求項４記載のパチンコ遊技機の遊技盤。
【発明の詳細な説明】
【技術分野】
【０００１】
本発明は、表面に複数の釘及び種々役物が形成されて遊技球が弾き出されるとともに、所定の樹脂材を成形して成るパチンコ遊技機の遊技盤に関するものである。
【背景技術】
【０００２】
パチンコ遊技機は、近時においては、板状の木材を加工した遊技盤に代えて、所定の樹脂材を成形して成る遊技盤が提供されるに至っている。かかる遊技盤は、所定の強度を有することから比較的大きな肉厚寸法の板状部材を用いる必要が生じるが、このような板状部材を射出成形等で成形する場合、冷却及び固化まで長時間が必要とされてしまうとともに、ひけ等の発生により平坦な表面を維持するのが困難になってしまう。故に、従来より、所定強度を有したブロック状の樹脂製板材に対してＮＣ加工機等にて切削加工を行い、所望形状の遊技盤を得ることが行われている。尚、かかる先行技術は、文献公知発明に係るものでないため、記載すべき先行技術文献情報はない。
【発明の概要】
【発明が解決しようとする課題】
【０００３】
しかしながら、上記従来のパチンコ遊技機の遊技盤においては、所定強度を有したブロック状の樹脂製板材に対してＮＣ加工機等にて切削加工を施すことにより得られたいたので、製造コストが嵩んでしまうとともに切削屑が大量に生じてしまうという問題があった。即ち、近時においては、液晶表示器などが設置される役物等が大型化されてきており、従来のものに比べ、遊技盤における切削加工すべき部位が大きくなりつつあるため、加工に時間が掛かって製造コストが嵩んでしまうのに加え、大量に生じた切削屑を廃棄するコストも必要とされるのである。
【０００４】
本発明は、このような事情に鑑みてなされたもので、必要な強度を有しつつ製造コストを抑制することができるパチンコ遊技機の遊技盤を提供することにある。
【課題を解決するための手段】
【０００５】
請求項１記載の発明は、表面に複数の釘及び種々役物が形成されて遊技球が弾き出されるとともに、所定の樹脂材を成形して成るパチンコ遊技機の遊技盤において、厚み方向に複数の層を有した樹脂製板状部材から成ることを特徴とする。
【０００６】
請求項２記載の発明は、請求項１記載のパチンコ遊技機の遊技盤において、前記樹脂製板状部材は、互いに物性が異なる樹脂材の層を有したことを特徴とする。
【０００７】
請求項３記載の発明は、請求項１又は請求項２記載のパチンコ遊技機の遊技盤において、前記樹脂製板状部材は、意匠的加工が施された意匠面又は機能的加工が施された機能部位が成形されて成ることを特徴とする。
【０００８】
請求項４記載の発明は、請求項１〜３の何れか１つに記載のパチンコ遊技機の遊技盤において、前記樹脂製板状部材は、その表面及び裏面をそれぞれ含む表面層及び裏面層と、当該表面層と裏面層との間の中間層とから成り、当該表面層及び裏面層と前記中間層とで互いに硬度を異ならせたことを特徴とする。
【０００９】
請求項５記載の発明は、請求項４記載のパチンコ遊技機の遊技盤において、前記表面層よりも前記中間層の方が軟質な樹脂材から成ることを特徴とする。
【発明の効果】
【００１０】
請求項１の発明によれば、厚み方向に複数の層を有した樹脂製板状部材から成るので、必要な強度を有しつつ製造コストを抑制することができる。
【００１１】
請求項２の発明によれば、樹脂製板状部材は、互いに物性が異なる樹脂材の層を有したので、その物性に応じた任意特性を有した遊技盤を提供することができる。
【００１２】
請求項３の発明によれば、樹脂製板状部材は、意匠的加工が施された意匠面又は機能的加工が施された機能部位が成形されて成るので、必要な意匠面及び機能部位を有した遊技盤を得ることができるとともにその製造コストを抑制することができる。
【００１３】
請求項４の発明によれば、樹脂製板状部材は、その表面及び裏面をそれぞれ含む表面層及び裏面層と、当該表面層と裏面層との間の中間層とから成り、当該表面層及び裏面層と中間層とで互いに硬度を異ならせたので、その硬度に応じた任意特性を有した３層構造の遊技盤を提供することができる。
【００１４】
請求項５の発明によれば、表面層よりも中間層の方が軟質な樹脂材から成るので、遊技盤の表面に突出形成される釘を安定且つ確実に固定させることができる。
【図面の簡単な説明】
【００１５】
【図１】本発明の実施形態に係るパチンコ遊技機の遊技盤を示す平面図及び正面図
【図２】同パチンコ遊技機の遊技盤を示す断面図
【図３】同パチンコ遊技機の遊技盤であって表面層に意匠面を施したものを示す断面図
【図４】同パチンコ遊技機の遊技盤であって中間層に意匠面を施したものを示す断面図
【図５】同パチンコ遊技機の遊技盤であって裏面層に機能部位（ボス部）を施したものを示す断面図
【図６】同パチンコ遊技機の遊技盤であって裏面層に機能部位（リブ）を施したものを示す断面図
【図７】同パチンコ遊技機の遊技盤であって裏面層に機能部位（フック）を施したものを示す断面図
【図８】本発明の他の実施形態に係るパチンコ遊技機の遊技盤を示す断面図
【発明を実施するための形態】
【００１６】
以下、本発明の実施形態について図面を参照しながら具体的に説明する。
本実施形態に係るパチンコ遊技機の遊技盤は、表面に複数の釘及び種々役物が形成されて遊技球が弾き出されるとともに、所定の樹脂材を成形して成るもので、図１、２に示すように、厚み方向（図２中上下方向）に複数の層（本実施形態においては、表面層２、裏面層３及び中間層４の３つの層）を有した樹脂製板状部材１から成るものである。
【００１７】
樹脂製板状部材１は、透明又は半透明なアクリル樹脂を成形して成るもので、役物が設置される任意形状の設置孔１ａと、本遊技盤を遊技機に取り付けるためのボルト等が挿通される取付孔１ｂと、遊技機側の所定部品との干渉を避けるための形状から成る切欠き１ｃと、釘Ｋ（図２参照）を打って固定させるための釘孔１ｄとを有している。尚、かかる樹脂製板状部材１の厚みは、全体として所定の強度が得られるよう設定されている。
【００１８】
ここで、本実施形態に係る樹脂製板状部材１は、その表面α及び裏面βをそれぞれ含む表面層２及び裏面層３と、当該表面層２と裏面層３との間の中間層４とから成り、当該表面層２及び裏面層３と中間層４とで互いに硬度（硬さ）を異ならせたものとされている。例えば、表面層２よりも中間層４の方が軟質な樹脂材から成るものとすることができ、その場合、遊技盤の表面（即ち、樹脂製板状部材１の表面α）に突出形成される釘Ｋを安定且つ確実に固定させることができる。
【００１９】
反対に、表面層２よりも中間層４の方が硬質（即ち、中間層４よりも表面層２の方が軟質）な樹脂材から成る樹脂製板状部材１とすることができる。また、互いに硬度を異ならせたものに限らず、互いに物性（硬度以外の物性であって粘性や耐摩耗性等）が異なる樹脂材の層を有した樹脂製板状部材１とすることができる。その場合、それぞれの層における樹脂材の種類を異ならせるものとすることができ、或いは同種の樹脂に所定の添加剤等を添加することにより物性を異ならせたものとすることもできる。
【００２０】
更に、樹脂製板状部材１は、意匠的加工が施された意匠面が成形されて成るものであってもよく、例えば図３に示すように、表面に凹凸加工を施して外部の光を乱反射させることにより意匠性を付与させた意匠面を有した表面層２’としてもよい。また、図４に示すように、凹凸加工を施して外部の光を乱反射させることにより意匠性を付与させた意匠面を有した中間層４’とすることもできる。この場合、表面層２の表面αを平坦としつつ意匠面を具備させることができる。尚、裏面層３に対して意匠面を形成するようにしてもよい。
【００２１】
ここで、本発明における意匠面とは、凹凸加工（エンボス加工やブラスト加工等を含む）に限定されず、視覚的効果を期待できる他の形態のもの（樹脂製板状部材１を構成する何れかの層に成形された視覚的演出効果が期待できるもの）であってもよく、例えば所定の色彩や模様を帯びたもの（中間層４に着色させたり或いは表面層２とは異なる材質のものを用いたりしたもの）或いは所定のキャラクタを模した形状が施されたもの等であってもよい。これにより、所望部位に対して或いは盤面全域に亘って意匠面を一体的に形成させた遊技盤を提供することができる。
【００２２】
更に、樹脂製板状部材１は、機能的加工が施された機能部位が成形されて成るものであってもよく、例えば図５に示すように、裏面に例えば遊技盤（樹脂製板状部材１）をパチンコ遊技機に取り付けるためのネジ孔が形成されるボス部５が一体成形された裏面層３’を具備したもの、図６に示すように、遊技盤（樹脂製板状部材１）に取り付けられる部品（例えば、役物内の構成要素を動作させるためのアクチュエータ等）を位置決めするためのリブ６が一体成形された裏面層３’を具備したもの、或いは図７に示すように、遊技盤（樹脂製板状部材１）に取り付けられる部品から延びたハーネス等を把持して押さえるフック７が一体成形された裏面層３’を具備したものとしてもよい。
【００２３】
ここで、本発明における機能部位とは、上記ボス部５、リブ６及びフック７が相当するものであるが、これらのものに限定されず、所定の機能を果たす他の形態のもの（樹脂製板状部材１を構成する表面層２又は中間層４に形成してもよい）であってもよく、例えば遊技盤（樹脂製板状部材１）に取り付けられる部品を挟持して固定させるためのクランプ等であってもよい。これにより、所望部位に機能性を有した機能部位を一体的に形成させた遊技盤を提供することができる。
【００２４】
本実施形態によれば、厚み方向に複数の層（３層）を有した樹脂製板状部材１から成るので、必要な強度を有しつつ製造コストを抑制することができる。樹脂製板状部材１を構成する複数の層は、それぞれ別個に成形したものを接着剤等で貼着させるもの、或いはインサート成形にて得られるもの等、何れの製造方法を採用してもよい。また、樹脂製板状部材１は、互いに物性が異なる樹脂材の層を有したものとすることができるので、その物性に応じた任意特性を有した遊技盤を提供することができる。
【００２５】
更に、本実施形態においては、樹脂製板状部材１は、その表面及び裏面を含む表面層２及び裏面層３と、当該表面層２と裏面層３との間の中間層４とから成り、当該表面層２及び裏面層３と中間層４とで互いに硬度を異ならせたので、その硬度に応じた任意特性を有した３層構造の遊技盤を提供することができる。特に、本実施形態においては、表面層２よりも中間層４の方が軟質な樹脂材から成るので、遊技盤の表面に突出形成される釘Ｋを安定且つ確実に固定させることができる。
【００２６】
また更に、本実施形態によれば、樹脂製板状部材１は、意匠的加工が施された意匠面又は機能的加工が施された機能部位が成形されて成るので、必要な意匠面及び機能部位を有した遊技盤を得ることができるとともにその製造コストを抑制することができる。尚、意匠面及び機能部位は、樹脂製板状部材１を構成する何れの層に形成してもよいが、例えば中間層４や裏面層３に意匠面を施した場合、その意匠面を視認させるべく、それより上面の層は透明或いは半透明とする必要がある。
【００２７】
以上、本実施形態に係るパチンコ遊技機の遊技盤について説明したが、本発明はこれらに限定されるものではなく、例えば図８に示すように厚み方向に２つの層を有した樹脂製板状部材１’としてもよく、更には、厚み方向に４層以上有した樹脂製板状部材としてもよい。また、樹脂製板状部材を構成する樹脂材は、アクリル樹脂が好ましいが、所望機能及び意匠を有した他の樹脂材であってもよい。
【産業上の利用可能性】
【００２８】
表面に複数の釘及び種々役物が形成されて遊技球が弾き出されるとともに、所定の樹脂材を成形して成るパチンコ遊技機の遊技盤において、厚み方向に複数の層を有した樹脂製板状部材から成るものであれば、外観形状が異なるもの或いは他の機能が付加されたもの等にも適用することができる。
【符号の説明】
【００２９】
１  樹脂製板状部材
２  表面層
３  裏面層
４  中間層
５  ボス部（機能部位）
６  リブ（機能部位）
７  フック（機能部位）
【図１】
2011062270.tif 000003
【図２】
2011062270.tif 000004
【図３】
2011062270.tif 000005
【図４】
2011062270.tif 000006
【図５】
2011062270.tif 000007
【図６】
2011062270.tif 000008
【図７】
2011062270.tif 000009
【図８】
2011062270.tif 000010